(57)【要約】      （修正有）【課題】キックボードの運搬を容易にし且つ最小の面積で保管できるようにするキックボードを提供する。【解決手段】操舵輪１０が設置されるハンドル１に一対の踏板フレーム２，３を設置し、踏板がそれぞれ設置される踏板フレームの後端の底面に輪２０，３０を設置してなるボードにおいて、前記ハンドルとそれぞれの前記踏板フレームとの間に設けられるもので、ハンドルに固着される固定フレームと、前記固定フレームに踏板フレームを軸支させるためのヒンジ軸４１と、前記固定フレームに設けられ、係止溝を有する掛け金具４３と、前記踏板フレームの先端にばねによって弾力的に設置され、折り畳み時に先端が前記係止溝に係合する止め金具とからなる折り畳み装置を含む。【選択図】図３
0003103657.tif 000002
【実用新案登録請求の範囲】
【請求項１】
操舵輪が設置されるハンドルに一対の踏板フレームを設置し、踏板がそれぞれ設置される前記踏板フレームの後端の底面に輪を設置してなるボードにおいて、
前記ハンドルとそれぞれの前記踏板フレームとの間に設けられるもので、前記ハンドルに固着される固定フレームと、前記固定フレームに前記踏板フレームを軸支させるためのヒンジ軸と、前記固定フレームに設けられ、係止溝を有する掛け金具と、前記踏板フレームの先端にばねによって弾力的に設置され、折り畳み時に先端が前記係止溝に係合する止め金具とからなる折り畳み装置を含むことを特徴とするキックボード。
【請求項２】
前記ハンドルの軸の下部には、前記操舵輪を固定させるために、操舵フレームと、前記操舵フレームに一端が固定され、他端が前記操舵輪の中心軸に連結されるブラケットとが設けられ、前記操舵輪の中心軸が前記操舵フレームと離隔して設置されることを特徴とする請求項１記載のキックボード。
【請求項３】
前記操舵フレームと前記操舵輪の中心軸との離隔距離が４〜７ｃｍであることを特徴とする請求項２記載のキックボード。
【請求項４】
前記踏板フレームの踏板の前方部には補助踏板が、前記ハンドル軸のハンドル取っ手の下方には調節可能な位置に補助ハンドル取っ手がさらに設けられることを特徴とする請求項１又は２記載のキックボード。
【請求項５】
前記ブラケットの上部には搭乗者の選択によって点灯できるようにボタン式スイッチ装置が、前記ブラケットの表面には所定のデザインでランプが任意に設けられているディスプレイ部が含まれた側面ランプを少なくとも一つ備え、前記踏板の後方には、搭乗者の選択によって動作するようにボタン式スイッチ装置とディスプレイが含まれた後方ランプをさらに含むことを特徴とする請求項１又は２記載のキックボード。
【考案の詳細な説明】
【技術分野】
【０００１】
本考案は、キックボードに関し、さらに詳しくは、一対の踏板フレームとハンドルを左右に揺動させることにより推進力を得るキックボードにおいて、一対の踏板フレームを折り畳むことを可能にしてキックボードの運搬及び保管を容易にしたキックボードに関する。
【背景技術】
【０００２】
従来、キックボードは、一枚のボードの底面に前輪と後輪を設置し、ボードの先端にハンドルを設置して構成するもので、手でハンドルを把持し、一つの足をボードに乗せた状態でもう一つの足で地面を蹴飛ばして推進力を得る。ところが、この種の従来のキックボードは、片足でバランスを取らなければならないので相当の練習が要求されるうえ、自体的な推進力なしで片足のみで地面を蹴飛ばす動作を繰り返し行うことにより、常用する筋肉のみを使用するので運動の効果が低く、興味を失い易いという問題点がある。
【０００３】
このような従来のキックボードの問題点を解決し、新しいレジャースポーツ器具として、特許文献１では、図１ａに示すように、操舵輪が設置されるハンドルに一対の踏板フレームを設置し、それぞれの踏板フレームの後端の底面に輪を設置して構成されるキックボードを提案した。特許文献１のキックボードは、それぞれの踏板上に両足を乗せ、両手でハンドルを把持した状態でハンドルを左右に揺動させると同時に体重を両側の踏板に交互に繰り返し移すことにより、推進力を得るものである。
【０００４】
また、このような装置はキャンバリング器具（ｃａｍｂｅｒｉｎｇ  ｖｅｈｉｃｌｅ）又は三輪ボードなどと呼ばれることもでき、本考案の名称で呼ばれるものと前記他の名称で呼ばれる器具は同一と見なす。
【０００５】
ところが、特許文献１のキックボードは、ハンドルに２つの踏板フレームが固着されており、キックボードの運搬及び保管が難しいだけでなく、広い空間が要求されるという問題点がある。
【０００６】
かかる問題点を解決するために、２０００年９月２７日付で出願された特許文献２では、図１ｂに示すように、前輪１１を有するハンドル主幹１と、それぞれに後輪９、１２を有する左右の台車４、５からなる三輪型のキックスケーターであって、前記ハンドル主幹１の下端側に丁番３を用いて左右の台車４、５を、その後輪側が平面視略三角形状に開脚するように回動可能に連設し、前記左右の台車４、５は車軸受け１０を介して後輪９、１２を設け、かつ、左右の台車４、５の後輪側にはステップ板６、７を丁番８によって回動可能に取り付けるとともに左右のステップ板６、７を丁番１７により上方側に折り畳み可能に連接して、後輪９、１２間を開閉脚することを特徴とする開脚三輪車のキックスケーターを提案した。特許文献２の考案は、ステップ板によって左右台車が左右方向のみに折り畳み可能になるだけで、左右台車がハンドル主幹方向に上下回動できないので、従来の器具の運搬上の不便さをあまり解消していない。
【特許文献１】米国特許第４１３３５５１号明細書
【特許文献２】登録実用新案第３０７３９９２号公報
【考案の開示】
【考案が解決しようとする課題】
【０００７】
本考案は、かかる従来の技術の問題点を解消するために創案されたもので、その目的は、操舵輪が設置されるハンドルに一対の踏板フレームを設置し、それぞれの踏板フレームの後端の底面に輪を設置してなるものにおいて、前記ハンドルとそれぞれの踏板フレームとの間に折り畳み装置を設けることにより、キックボードの運搬を容易にし且つ最小の面積で保管できるようにするキックボードを提供することにある。
【０００８】
また、本考案の他の目的は、操舵輪が中心軸より偏向されているため、回転半径が最小化され且つ前進機能が補強されたキックボードを提供することにある。
また、本考案のさらに他の目的は、二人以上が同時に搭乗することが可能なキックボードを提供することにある。
【０００９】
また、本考案のさらに他の目的は、操舵輪部のブラケットと踏板の後方に安全ランプを設けることにより、安全事故を予防し且つ優れた視覚デザインを有するキックボードを提供することにある。
【課題を解決するための手段】
【００１０】
上記目的を達成するために、本考案は、操舵輪が設置されるハンドルに一対の踏板フレームを設置し、踏板がそれぞれ設置される踏板フレームの後端の底面に輪を設置してなるボードにおいて、前記ハンドルとそれぞれの前記踏板フレームとの間に設けられるもので、ハンドルに固着される固定フレームと、前記固定フレームに踏板フレームを軸支させるためのヒンジ軸と、前記固定フレームに設けられ、係止溝を有する掛け金具と、前記踏板フレームの先端にばねによって弾力的に設置され、折り畳み時に先端が前記係止溝に係合する止め金具とからなる折り畳み装置を含む、キックボードを提供する。
【００１１】
また、本考案は、前記ハンドルの軸の下部には、操舵輪を固定させるために、操舵フレームと、前記操舵フレームに一端が固定され、他端が操舵輪の中心軸に連結されるブラケットとが設けられ、前記操舵輪の中心軸が操舵フレームと離隔して設置される、キックボードを提供する。
【００１２】
また、本考案は、前記操舵フレームと操舵輪の中心軸との離隔距離が４〜７ｃｍであるキックボードを提供する。
また、本考案は、前記踏板フレームの踏板の前方部には補助踏板が、ハンドル軸のハンドル取っ手の下方には調節可能な位置に補助ハンドル取っ手がさらに設けられた、キックボードを提供する。
【００１３】
また、本考案は、前記ブラケットの上部には搭乗者の選択によって点灯できるようにボタン式スイッチ装置が、前記ブラケットの表面には所定のデザインでランプが任意に設けられているディスプレイ部が含まれた側面ランプを少なくとも一つ備え、踏板の後方には、搭乗者の選択によって動作するようにボタン式スイッチ装置とディスプレイが含まれた後方ランプをさらに含む、キックボードを提供する。
【考案の効果】
【００１４】
本考案のキックボードは、ハンドルとそれぞれの踏板フレームとの間に折り畳み装置を設けることにより、キックボードの運搬を容易にし且つ最小の面積で保管することができるという効果がある。
【００１５】
また、本考案のキックボードは、操舵輪が操舵フレームの後方に位置することにより、左右回転半径を減らすことができ、小さい力でも前進力が増加するので、運動効果の極大化及び運動の趣味感を向上させることができる。
【００１６】
また、本考案のキックボードは、二人以上の搭乗を可能にして、家族が一緒に楽しむこともできる。
【００１７】
また、本考案のキックボードは、輪の側面及び後方にランプを設けることにより、夜間に運行しても安全であり、ひいては安全事故を予防するので、搭乗者が安心して運動することができ、点灯するランプによって視覚デザイン的にも優れた美感を得ることができるという利点がある。
【考案を実施するための最良の形態】
【００１８】
以下、添付図面を参照して本考案の好適な一実施例を詳細に説明する。図面中、同一の構成要素又は部品はなるべく同一の参照符号を付している。本考案を説明するにおいて、関連した公知機能或いは構成についての具体的な説明は本考案の要旨を明瞭にするために省略する。
【００１９】
図２は本考案の好適な一実施例に係るキックボードの斜視図、図３は図２の側面図、図４は本考案のキックボードを折り畳んだ状態を示す側面図である。
図２ないし図４に示すように、本考案は、操舵輪１０が設置されるハンドル１に一対の踏板フレーム２、３を設置し、踏板２１、３１がそれぞれ設置される踏板フレーム２、３の後端の底面に輪２０、３０を設置してなるキックボードにおいて、前記ハンドル１とそれぞれの踏板フレーム２、３との間に折り畳み装置４を設ける。前記折り畳み装置４は、ハンドル１に固着される固定フレーム１１、１２と、前記固定フレーム１１、１２に踏板フレーム２、３を軸支させるためのヒンジ軸４１と、前記固定フレーム１１、１２に設けられ、係止溝４２を有する掛け金具４３と、前記踏板フレーム２、３の先端にばね４４によって弾力的に設置される止め金具４５とから構成される。
【００２０】
このように構成される本考案のキックボードは、持ち運び又は保管のために踏板フレーム２、３を折り畳みたい場合には、各踏板フレーム２、３の先端に設置された止め金具４５を後退させ、後退する止め金具４５がばね４４を圧縮させることにより、止め金具４５の先端が固定フレーム１１、１２から抜け出ると、ヒンジ軸４１を中心として旋回できる。次に、各踏板フレーム２、３をヒンジ軸４１を中心として旋回させてハンドル１に密着させた状態で、後退させた止め金具４５を放すと、ばね４４の復元力によって止め金具４５が前進し、止め金具４５の先端が掛け金具４３の係止溝４２に挿入されて折り畳み状態を保つ。
【００２１】
図５は本考案の好適な一実施例に係る操舵輪部の拡大側面図である。一般的なキックボードは、ハンドルのハンドル軸と操舵輪の中心とが一直線上に位置するように構成されている。本考案において、ハンドル軸５０は垂直を基準として約１０〜２０°程度の傾斜を有し、その下方には操舵輪１０を支持するための操舵フレーム５１とブラケット５２が設けられている。前記ブラケット５２は、一端が操舵フレーム５１に固定され、他端には操舵輪１０を固定するための固定部材５３が設けられる。前記固定部材５３は操舵輪１０の中心軸を連結して回転及び固定させる役割を果たす。前記操舵輪１０は操舵フレーム５１に対して４〜７ｃｍ程度の後方に位置し、好ましくは５．５ｃｍ程度の後方に位置することができる。一方、前記傾斜角度は１６〜１８°が好ましい。
【００２２】
本考案において、操舵輪１０を操舵フレーム５１と同軸に位置させず後方に偏向させる理由は、まず、本考案のキックボードの運動力学的分析から探し出すことができる。本考案のキックボードは、左右運動を直線運動に変化させて運動の効果及び興味を極大化させる。したがって、器具に搭乗した使用者の左右運動に伴い、操舵輪の左右移動は他の器具に比べて著しい。この際、本考案のように操舵輪をより後方に位置させることにより、左右回転半径を最小化しながら所定の角度の回転も可能である。また、動力源（使用者）と操舵輪との距離が短縮されることにより、それだけ小さい力でも前進が円滑になる。本考案のような従来の物品の商業的成功が失敗した理由の一つは、卓越した運動効果にも拘らず、前進力がより足りなくて運動の趣味感が低下することにあると、本考案者は把握した。したがって、操舵輪がより後方に位置して動力源の左右運動の角度を大きくすることが可能であれば、同一の左右運動でもこれらの合成力が増加する結果をもたらし（ｓｉｎθの増加）、そうであれば、大差のない運動効果を備え且つより向上した前進力を有する器具の実現が可能である。
【００２３】
図６は本考案の一実施例の変形例として、二人以上の搭乗が可能なキックボードを示す。これまでの運動器具は主に一人搭乗用であったが、特に本考案のような物品は、子供と親が一緒に楽しむことができる。したがって、本考案は、踏板フレーム２、３の踏板２１、３１の前方部には補助踏板５５、５６を設置し、ハンドル軸５０のハンドル取っ手の下方には調節可能な位置に補助ハンドル取っ手５７を設置することができる。したがって、子供は補助踏板に補助ハンドル取っ手を把持して搭乗し、成人は主踏板に主ハンドル取っ手を把持して搭乗することができる。
【００２４】
図３、図７ａ及び図７ｂはそれぞれ、本考案の一実施例に係る、安全ランプが設置された構造、側面ランプ及び後方ランプを示す。側面ランプ７０は、ブラケット５２自体がその役割を果たすことができる。前記側面ランプ７０の上部には、搭乗者の選択によって点灯できるようにボタン式スイッチ装置７２が設けられている。ブラケットの表面には、所定のデザインでランプ（図示せず）が任意に設けられているディスプレイ７１が含まれる。また、側面ランプ７０の背面には乾電池（図示せず）のような携帯用電源が備えられている。前記側面ランプ７０はブラケットの役割もするので、操舵輪を固定させるための固定孔５９が穿設されている。一方、踏板の後ろには後方ランプ７５が位置できるので、前記後方ランプは円筒状にしてもよい。また、後方ランプ７５は、前記側面ランプ７０と同様に搭乗者の選択によって動作するようにボタン式スイッチ装置７６とディスプレイ部７７を備える。前記側面ランプと後方ランプは消耗品であって、取り替えが可能である。
【００２５】
以上説明した本考案が、前述した実施例及び添付図面によって限定されるものではなく、本考案の技術的思想から逸脱しない範囲内でいろいろの置換、変形及び変更が可能であるのは、当技術分野で通常の知識を有する者においては明らかなことである。
【図面の簡単な説明】
【００２６】
【図１ａ】従来の技術の一例に係るキャンバリング器具の斜視図である。
【図１ｂ】従来の技術の他の例に係るキャンバリング器具の斜視図である。
【図２】本考案の好適な一実施例に係るキックボードの斜視図である。
【図３】図２の側面図である。
【図４】本考案のキックボードを折り畳んだ状態を示す側面図である。
【図５】本考案の好適な一実施例に係る操舵輪部の拡大図である。
【図６】本考案の好適な一実施例に係る、補助ハンドル及び補助踏板が付設された変形例の斜視図である。
【図７ａ】本考案の好適な一実施例に係る側面ランプの斜視図である。
【図７ｂ】本考案の好適な一実施例に係る後方ランプの斜視図である。
【符号の説明】
【００２７】
１  ハンドル
２、３  踏板フレーム
４  折り畳み装置
１０  操舵輪
１１、１２  固定フレーム
２０、３０  輪
２１、３１  踏板
４１  ヒンジ軸
４２  係止溝
４３  掛け金具
４４  ばね
４５  止め金具
５０  ハンドル軸
５１  操舵フレーム
５２  ブラケット
５３  固定部材
５５、５６  補助踏板
５７  補助ハンドル
【図１ａ】
0003103657.tif 000003
【図１ｂ】
0003103657.tif 000004
【図２】
0003103657.tif 000005
【図３】
0003103657.tif 000006
【図４】
0003103657.tif 000007
【図５】
0003103657.tif 000008
【図６】
0003103657.tif 000009
【図７ａ】
0003103657.tif 000010
【図７ｂ】
0003103657.tif 000011